(57)【要約】【課題】アルカリイオン整水器において、一定時間待機状態になると電源を自己遮断し、待機状態の電力消費をゼロにする。【解決手段】商用電源ラインに接点式のメカスイッチ２２と制御用開閉素子２３を並列に構成し、アルカリイオン整水器本体３への通水により接点式のメカスイッチ２２が閉じると、制御用電源部２０に電力が供給され、制御部１９が起動し、制御用開閉素子２３を導通させ商用電源ラインを保持し電解動作を行う。通水状態から止水状態になると、接点式のメカスイッチ２２は接点が開き回路を遮断するが、並列に構成した制御用開閉素子２３にて電力は供給されつづける。止水状態を制御部１９が検出すると機器本体は待機状態となり、待機状態のまま一定時間が経過すると制御部１９から商用電源ラインを保持している開閉素子を遮断し、機器本体の電源を自己遮断する。【選択図】図１
2005152795.tif 000002
【特許請求の範囲】
【請求項１】
水栓が設けられ原水を供給することができる原水管と、供給された原水を電気分解してアルカリイオン水及び酸性イオン水を生成する電解槽と、商用電源に接続されて前記電解槽へ電流を印加する電解用電源部と、前記電解用電源部から前記電解槽への通電を制御する制御部を備えたアルカリイオン整水器であって、前記制御部の制御用電源部に電力を供給する商用電源ラインには、制御用開閉素子と前記原水管内の通水で動作する接点式のメカスイッチとが並列に設けられ、通水によって前記メカスイッチの接点が閉じると、前記制御用電源部が起動して前記制御用開閉素子を導通させ、止水により前記メカスイッチの接点が開放されると、前記制御部が制御用開閉素子を開き電源を自己遮断することを特徴とするアルカリイオン整水器。
【請求項２】
前記メカスイッチの接点が開放されたとき、止水を示す流量センサの出力信号を基に前記制御部が制御用開閉素子を開くことを特徴とする請求項１記載のアルカリイオン整水器。
【発明の詳細な説明】
【技術分野】
【０００１】
本発明は、水道水や井戸水等の原水を電気分解して、飲料用や医療用として利用するアルカリイオン水及び洗顔等に利用する酸性イオン水を生成するアルカリイオン整水器に関する。
【背景技術】
【０００２】
近年、連続電解方式のイオン水生成器として、アルカリイオン整水器が普及している。このアルカリイオン整水器は、電解槽内で水道水等を電気分解して、陽極側に酸性イオン水を生成し、陰極側にアルカリイオン水を生成するものである。
【０００３】
以下、従来の連続電解方式のアルカリイオン整水器の構成と動作について図４，５に基づいて説明する。図４は従来のアルカリイオン整水器の概略構成図、図５は従来のアルカリイオン整水器の機能ブロック図である。
【０００４】
図４において、１は水道水等の原水管、２は水栓、３は水栓２を介して原水管１と接続されたアルカリイオン整水器本体、４は原水を浄化する浄水部、５は通水流量を後述の制御部に知らせる流量センサ、６はカルシウム等のカルシウムイオンを原水中に付与し導電率を高めるカルシウム供給部、７は流量センサ５とカルシウム供給部６を経由してきた水を電気分解する電解槽、８は電解槽を２分し電極室を形成する隔膜、９，１０は隔膜８で２分されて形成された各電極室に配置された電極板、１１は電極板１０側の水を通水する通水管、１２は電極板９側の水を吐水する吐水管である。
【０００５】
１３は商用電源から電気を供給する電源投入用プラグ、１４は電解用電源部、１５は電解槽に電力出力を行う電解出力部、１６は電解出力時の電流値を検知する電解電流検出部、１７は電解槽への電解出力の極性切替部、１８は使用者が電解の強さおよび酸性水またはアルカリイオン水の選択を行う表示操作部、１９は表示操作部の設定にもとづき、電解電流検出部１６の値を監視しながら、電解出力の制御を行う制御部である。
【０００６】
また、図５の機能ブロック図に示すように、２０は制御用電源部、２１は電気分解に必要な直流電圧電流を発生するため電解用電源部１４に電力を供給する電解用開閉素子、２４はデータ保持メモリである。
【０００７】
次に、図４，５に基づいて従来のアルカリイオン整水器の電解動作を説明する。アルカリイオン整水器本体３に水道水等の原水が通水されると、流量センサ５から通水流量に応じたパルス信号が制御部１９へ出力される、制御部１９はこのパルス信号の入力によってアルカリイオン整水器本体へ通水されたと判断し、制御部１９から電解用開閉素子２１を導通させ、電解用電源部１４に電力を供給し、電気分解に必要な直流電圧電流を発生する。同時に制御部１９は操作・表示部１８から入力された水質モードに基づき、必要に応じて極性切替部１７を切り換え、電解出力部１５より、電解槽７内にある電極板９、１０間に電圧を印加し、電解を開始する。原水の通水が止水操作されると流量センサ５から制御部１９への信号が停止するため、制御部１９は止水と判断し、電解出力部１５の出力を停止させ電解を中止し、電解用電源部１４に供給していた電解用開閉素子２１を遮断し待機状態となる。
【特許文献１】特開平７−２２２９８１号公報
【発明の開示】
【発明が解決しようとする課題】
【０００８】
解決しようとする問題点は、従来のアルカリイオン整水器では、制御用電源部２０は制御部１９に電源を供給するため常に商用電源が供給され、制御動作の実行を継続させた状態が継続している。すなわち、止水の操作後にアルカリイオン整水器本体３が待機状態にあるときでも、常に制御用電源部２０には商用電源が供給されており、待機中でも電力を消費している。
【課題を解決するための手段】
【０００９】
本発明のアルカリイオン整水器は、制御部の制御用電源部に電力を供給する商用電源ラインには、制御用開閉素子と原水管内の通水で動作する接点式のメカスイッチとが並列に設けられ、通水によってメカスイッチの接点が閉じると、制御用電源部が起動して制御用開閉素子を導通させ、止水によりメカスイッチの接点が開放され一定時間経過すると、制御部が制御用開閉素子を開き電源を自己遮断することを主要な特徴とする。
【発明の効果】
【００１０】
本発明のアルカリイオン整水器は、通水によるメカスイッチの接点開閉動作を機器の起動スイッチ動作とすることで、待機中は制御用開閉素子を遮断して未通電状態にすることが可能であり、待機中の電力消費をゼロにするという利点がある。
【発明を実施するための最良の形態】
【００１１】
本発明は、商用電源ラインに接点式のメカスイッチと制御用開閉素子を並列に設け、制御部からの制御信号により制御用開閉素子を開閉させ、機器が未通電状態から通水により起動可能とし、止水により待機状態になったときは商用電源からの電源を保持する制御用開閉素子を制御部によって自己遮断するものである。
【００１２】
上記課題を解決するためになされた第１の発明は、水栓が設けられ原水を供給することができる原水管と、供給された原水を電気分解してアルカリイオン水及び酸性イオン水を生成する電解槽と、商用電源に接続されて電解槽へ電流を印加する電解用電源部と、電解用電源部から電解槽への通電を制御する制御部を備えたアルカリイオン整水器であって、制御部の制御用電源部に電力を供給する商用電源ラインには、制御用開閉素子と原水管内の通水で動作する接点式のメカスイッチとが並列に設けられ、通水によってメカスイッチの接点が閉じると、制御用電源部が起動して制御用開閉素子を導通させ、止水によりメカスイッチの接点が開放されると、制御部が制御用開閉素子を開き電源を自己遮断するアルカリイオン整水器であり、通水によってメカスイッチの接点が閉じたら制御用電源部に通電して起動させ、これにより制御部が制御用開閉素子を導通し、止水するとメカスイッチが開放され、制御部が制御用開閉素子を遮断するため、待機中の電力消費をゼロにすることができる。
【００１３】
本発明の第２の発明は、第１の発明において、メカスイッチの接点が開放されたとき、止水を示す流量センサの出力信号を基に制御部が制御用開閉素子を開くアルカリイオン整水器であり、通水量を制御するための流量センサにより止水を示す出力信号が出力されると、制御部が制御用開閉素子を遮断するため、待機中の電力消費をゼロにすることができる。
【実施例１】
【００１４】
本発明の実施例１のアルカリイオン整水器について説明する。図１は本発明の実施例１におけるアルカリイオン整水器の概略構造図、図２は本発明の実施例１におけるアルカリイオン整水器の機能ブロック図、図３（ａ）は本発明の実施例１におけるメカスイッチ部の止水時の動作状態を説明した断面図、図３（ｂ）は（ａ）のメカスイッチ部の通水時の動作状態を説明した断面図である。
【００１５】
図１，２において、２２は商用電源と制御用電源部２０との間の商用電源ラインに接続される接点式のメカスイッチ、２３はメカスイッチ２２と並列に商用電源ラインに接続される制御用開閉素子である。なお、実施例１のアルカリイオン整水器は、上述した従来のアルカリイオン整水器と基本的構成において同一であるから、ここでは符号１〜符号２１，符号２４の説明は省略する。
【００１６】
また、図３（ａ），（ｂ）に示すメカスイッチ２２の細部構成について説明すると、２２ａはマグネット、２２ｂはスプリング、２２ｃはリードスイッチ、２２ｄはマグネット位置固定用リブである。
【００１７】
実施例１のアルカリイオン整水器の動作を説明する。
【００１８】
まず、止水中のメカスイッチ２２は、図３（ａ）に示すように、マグネット２２ａがスプリング２２ｂの作用で固定リブ２２ｄの位置に保持されている。このためリードスイッチ２２ｃの接点は開放状態となっており、制御用電源部２０への電力の供給はゼロとなっている。水栓２が開き通水されると、図３（ｂ）に示すようにマグネット２２ａは通水の水圧を受け後方へ移動し、これによりリードスイッチ２２ｃの接点が閉じ、制御用電源部２０に電力が供給される。この供給を受けて制御部１９が起動し、流量センサ５、表示・操作部１８へ電力と制御信号を出力する。同時に制御部１９は制御用開閉素子２３を導通させ、制御部１９への電力供給を安定化させる。流量センサ５へ電力の供給が開始されると、流量に応じたパルス信号が制御部１９へ出力される。制御部１９はデータ保持メモリ２４の内容を確認し、確定している水質で電解動作を行う。
【００１９】
水栓２が閉じられ止水状態になると、メカスイッチ２２のマグネット２２ａは図３（ａ）に示す位置に戻り、リードスイッチ２２ｃの接点も開放状態となるが、制御用開閉素子２３により制御用電源部２０への電力の供給は継続する。しかし、止水状態となったことで流量センサ５からのパルス信号が停止するため、制御部１９は止水と判断し電解出力部１５の出力を停止し、待機状態に入る。なお、一定時間経過すると、制御部１９が電解出力部１５の出力を停止するのでもよい。
【００２０】
待機中に再び通水があると、上述の一連の電解動作を繰り返す。一定期間待機状態が続くと、制御部は現在の水質データその他をデータ保持メモリ２４へ書き込み、制御用開閉素子２３を遮断し商用電源からアルカリイオン整水器を遮断し、電力の消費をゼロにする。
【産業上の利用可能性】
【００２１】
通水を利用したメカスイッチで機器の電源を起動し、制御部から開閉可能な開閉素子をメカスイッチと並列に設けた構成することで未通電状態から機器を起動することが可能である。据置型のアルカリイオン整水器だけでなく、ビルトインタイプのアルカリイオン整水器にも応用可能であり、水以外の媒体による用途にも適用できる。
【図面の簡単な説明】
【００２２】
【図１】本発明の実施例１におけるアルカリイオン整水器の概略構造図
【図２】本発明の実施例１におけるアルカリイオン整水器の機能ブロック図
【図３】（ａ）本発明の実施例１におけるメカスイッチ部の止水時の動作状態を説明した断面図、（ｂ）（ａ）のメカスイッチ部の通水時の動作状態を説明した断面図
【図４】従来のアルカリイオン整水器の概略構造図
【図５】従来のアルカリイオン整水器の機能ブロック図
【符号の説明】
【００２３】
１    原水管
２    水栓
３    アルカリイオン整水器本体
４    浄水部
５    流量センサ
６    カルシウム供給部
７    電解槽
８    隔膜
９，１０    電極板
１１    通水管
１２    吐水管
１３    電源投入用プラグ
１４    電解用電源部
１５    電解出力部
１６    電解電流検出部
１７    極性切替部
１８    表示操作部
１９    制御部
２０    制御用電源部
２１    電解用開閉素子
２２    メカスイッチ
２２ａ    マグネット
２２ｂ    スプリング
２２ｃ    リードスイッチ
２２ｄ    マグネット位置固定用リブ
２３    制御用開閉素子
２４    データ保持メモリ
【図１】
2005152795.tif 000003
【図２】
2005152795.tif 000004
【図３】
2005152795.tif 000005
【図４】
2005152795.tif 000006
【図５】
2005152795.tif 000007